(57)【要約】【課題】レジストローラ対を有するレジスト装置において、ＪＡＭした転写紙の処理方向を規制することにより、ＪＡＭ処理後に給紙された転写紙の画像汚れの防止を図るレジスト装置を提供する。【解決手段】レジストローラ対１８を有するレジスト装置２９において、ＪＡＭ発生時、転写紙にトナー像が転写されている場合には前記レジスト装置２９のレジストローラ対１８の回転方向を規制し、転写紙にトナー像が転写されていない場合には前記レジスト装置２９のレジストローラ対１８は両方向に回転可能に動くように、前記レジスト装置２９に回転方向規制手段３０を設けたことを特徴とするレジスト装置２９。【選択図】図２
2005001807.tif 000002
【特許請求の範囲】
【請求項１】
像担持体と、該像担持体上に潜像を形成する潜像形成装置と、該潜像をトナー像化するための現像部材を有する現像装置と、転写紙を像担持体に搬送するためのレジストローラ対を有するレジスト装置と、転写紙に像担持体上のトナー像を転写する転写領域に設けられた転写装置と、転写紙に該トナー像を転写した後の該像担持体上の残留トナーを除去するためのクリーニング装置を備えた画像形成装置に用いられるレジスト装置において、ＪＡＭ発生時、転写紙にトナー像が転写されている場合には、前記レジスト装置のレジストローラ対の回転方向を規制する回転方向規制手段を有したことを特徴とするレジスト装置。
【請求項２】
ＪＡＭ発生時、前記転写紙にトナー像が転写されていない場合には、前記レジスト装置のレジストローラ対は両方向に回転可能に動くように、前記回転方向規制手段が動作することを特徴とする請求項１に記載のレジスト装置。
【請求項３】
前記転写領域での前記転写紙を検知する手段は、前記クリーニング装置の下部付近に設けられたことを特徴とする請求項１又は請求項２に記載のレジスト装置。
【発明の詳細な説明】
【０００１】
【発明の属する技術分野】
本発明は、複写機、プリンター、ファクシミリ等の用紙上に画像形成を施す画像形成装置における、転写紙を搬送するためのレジスト装置に関する。
【０００２】
【従来の技術】
転写紙を像担持体に搬送し、該像担持体上のトナー像と位置を合わせタイミングをとって搬送する手段として、レジストローラ対を有するレジスト装置を使用するのが一般的である。また、転写紙の給紙搬送に関連してＪＡＭ等の様々な問題があるが、画像形成装置のＪＡＭ処理方法については多くの提案がなされている。通常レジスト装置付近でＪＡＭが発生すると、使用者は転写紙の位置に関係なくＪＡＭした転写紙の取りやすい方向から処理するのが一般的である。
【０００３】
しかしＪＡＭ発生時、転写紙が像担持体上のトナー像を転写する転写領域を少しでも通過し、像担持体上のトナー像が転写紙に未定着トナーとして転写されている場合、レジスト装置の上流側からＪＡＭした転写紙の処理を行うと、転写紙上の未定着トナーがレジストローラ対や搬送ガイド板に付着し、ＪＡＭ処理後に給紙された転写紙にそのトナーが付着しコピーが汚れるという問題が発生する。また、転写紙に未定着トナーが転写されていない場合にまでＪＡＭした転写紙の処理方向を規制してしまうと、使用者のＪＡＭ処理性能を低下させるばかりか、レジスト装置の近傍にある像担持体を損傷させるという不具合を発生させる恐れがある。
【０００４】
【特許文献１】
特開平１１−３２１０４８号
【０００５】
【特許文献２】
特開平８−１５７１０８号
【０００６】
【発明が解決しようとする課題】
上記のようにレジスト装置付近で発生した転写紙のＪＡＭ処理方法において、ＪＡＭした転写紙の処理方向によって、レジストローラ対や搬送ガイド板等にトナーが付着し、ＪＡＭ処理後に給紙された転写紙を汚す画像汚れが発生するという問題があった。
【０００７】
本発明は、上記課題に鑑みてなされたものであり、転写紙のＪＡＭ処理時における上記の問題を解決する、信頼性の高いレジスト装置を提供することを目的とする。
【０００８】
【課題を解決するための手段】
上記課題を解決するために本発明のレジスト装置は、像担持体と、該像担持体上に潜像を形成する潜像形成装置と、該潜像をトナー像化するための現像部材を有する現像装置と、転写紙を像担持体に搬送するためのレジストローラ対を有するレジスト装置と、転写紙に像担持体上のトナー像を転写する転写領域に設けられた転写装置と、転写紙に該トナー像を転写した後の該像担持体上の残留トナーを除去するためのクリーニング装置を備えた画像形成装置において、ＪＡＭ発生時、転写紙にトナー像が転写されている場合には、前記レジスト装置のレジストローラ対の回転方向を規制する回転方向規制手段を有したことを特徴とする。
【０００９】
好適には、ＪＡＭ発生時、前記転写紙にトナー像が転写されていない場合には、前記レジスト装置のレジストローラ対は両方向に回転可能に動くように、前記回転方向規制手段が動作することを特徴とする。
【００１０】
また、前記転写領域での前記転写紙を検知する手段は、前記クリーニング装置の下部付近に設けられたことを特徴とする。
【００１１】
【本発明の作用】
請求項１記載の発明によれば、ＪＡＭ発生時、転写紙にトナー像が転写されている場合には、搬送方向上流側へＪＡＭした転写紙を引き抜くことが出来ないように、レジスト装置のレジストローラ対の回転方向を規制する回転方向規制手段が可動する。これにより、レジストローラ対や搬送ガイド板等にトナーが付着し、ＪＡＭ処理後に給紙された転写紙を汚すという問題を防止することが可能である。
【００１２】
請求項２記載の発明によれば、ＪＡＭ発生時、前記転写紙にトナー像が転写されていない場合には、搬送方向の上流側、下流側のどちらにも引き抜くことが出来るように、レジスト装置のレジストローラ対の回転方向を規制する回転方向規制手段が可動する。これにより、使用者がＪＡＭした転写紙を取り易い方向から処理することが可能である。
【００１３】
請求項３記載の発明によれば、前記転写領域での前記転写紙を検知する手段を、前記クリーニング装置の下部付近に設けることにより、より正確な転写紙の位置を特定することが出来る。
【００１４】
【発明の実施の形態】
以下、図面に基づいて本発明の実施の形態を例示して説明する。ただし、以下の実施形態に記載されている構成部品の寸法、材質、形状、その相対配置などは、本発明の範囲をそれのみに限定する趣旨ではなく、単なる説明例に過ぎない。
【００１５】
まず、図１に基づいて、本発明が適用される画像形成装置の一例である複写機の全体構成を説明する。１は全体の枠組みを構成する複写機本体であり、複写機本体１の上部には原稿の画像面（画像情報）を読み取るリーダ部２が配設され、その下部にはリーダ部２で読み取った画像情報に応じて転写紙上にトナー像を形成するプリント部３が配設されている。
【００１６】
このうち前者のリーダ部２は、原稿がその画像面を下向きにして載置される透明な原稿台４と、原稿の画像面を原稿台４の上面に密着させる開閉自在な原稿押圧板５と、原稿台４上の原稿の画像面に下方から光を照射し画像面のデータを読み取るための画像読み取り部６を備えている。以上は、原稿を固定し、かつ画像面を読み取る、いわゆる固定読みを行うための構成である。リーダ部２は、その外に、原稿を移動させて原稿の画像面を読み取る、いわゆる流し読みを行うための原稿送り機構７も備えている。ここで、上述の固定読みと流し読みとの使い分けは、例えば、製本されている書籍等の原稿は原稿台４に載置して固定読みを行う一方、カットシート状の原稿は原稿送り機構７で流し読みを行うようにする。
【００１７】
プリント部３は、図１中の右側の上方向に配置された像担持体（以下「感光体ドラム」という。）８を備えている。感光体ドラム８は複写機本体１によって矢印方向（同図中の時計回り）に回転可能に支持されており、その周囲には回転方向に沿ってほぼ順に、帯電装置（帯電手段）９、露光装置（露光手段）１０、現像装置（現像手段）１１、転写装置（転写手段）１２、クリーニング装置（クリーニング手段）１３が配設されている。また、画像形成対象となる転写紙の搬送経路１４（図１中では２点鎖線で図示）に沿って、その上流側から下流側にかけて、給紙カセット１５、給紙ローラ１６、搬送ローラ対１７、レジストローラ対１８を有するレジスト装置２９、搬送ベルト１９、定着装置（定着手段）２０、排紙ローラ対２１、排紙トレイ２２が配設されている。
【００１８】
このうち感光体ドラム８は、例えば、アルミニウム等の導電性のドラム基体の外周面に、ＯＰＣ（有機光半導体）やアモルファスシリコン等の感光層を設けて構成される。感光体ドラム８は、駆動手段（図示せず）によって矢印方向に所定のプロセススピード（周速度）で回転駆動される。
【００１９】
帯電装置９としては、本実施の形態においては、スコロトロン方式のコロナ帯電器が使用されている。帯電装置９は、帯電バイアス印加電源（図示せず）によって帯電バイアスが印加されることにより、感光体ドラム８表面を所定の極性・電位に均一に帯電するようになっている。
【００２０】
露光装置１０は、レーザー発振器、ポリゴンミラー等（いずれも図示せず）を有しており、感光体ドラム８表面に静電潜像を形成するものである。前述のリーダ部２よって読み込まれた原稿の画像情報は、プリント部３に設けられた画像処理部（図示せず）によってＡ／Ｄ変換、濃度補正、シェ−ディング補正等の適宜な処理が施された後、画像信号としてレーザー発振器に入力される。レーザー発振器は、この画像信号に基づいてＯＮ／ＯＦＦ制御されるレーザー光により、ポリゴンミラー等を介して帯電後の感光体ドラム８表面を露光し、露光部分の電荷を除去して静電潜像を形成するようになっている。
【００２１】
現像装置１１は、現像剤を収納する現像容器２３と、感光体ドラム８表面に対向する現像位置に搬送する現像ローラ２４とを有している。現像ローラ２４には、現像バイアス印加電源（図示せず）によって現像バイアスが印加され、これにより現像剤中のトナーが感光体ドラム８表面の静電潜像に付着され、この静電潜像をトナー像として現像するようになっている。
【００２２】
転写装置１２は、感光体ドラム８表面に対向するように配設されたローラ状の部材によって形成されている。転写装置１２は、転写バイアス印加電源（図示せず）によって、感光体ドラム８上のトナー像と逆極性の転写バイアスが印加され、これにより、転写紙表面に感光体ドラム８上のトナー像を転写するものである。この感光体ドラム８上のトナー像を転写紙に転写する領域を転写領域と言う。
【００２３】
トナー像が転写される転写紙は、給紙カセット１５に収納されていたものが、給紙ローラ１６によって給紙され、搬送ローラ対１７によって搬送され、レジストローラ対１８により一旦停止され、その後、感光体ドラム８上のトナー像とタイミングを合わせるようにしてレジストローラ対１８から送り出されるようになっている。一般的にレジストローラ対は、下ローラがゴム等の駆動ローラ、上ローラがＰＯＭ等の従動ローラで構成されており、クラッチ等の駆動手段（図示せず）により駆動し、回転及び停止を繰り返している。
【００２４】
クリーニング装置１３は、上述の転写時に、転写紙に転写されないで感光体ドラム８表面に残った残留トナーを除去すべく感光体ドラム８表面に当接されたクリーニングブレード２５を有している。
【００２５】
上述の転写装置１２の下流側には、トナー像転写後の転写紙を定着装置２０に導く搬送ベルト１９が配設されている。
【００２６】
定着装置２０は、内側に配設された定着ヒータ２６によって加熱される定着ローラ２７と、この定着ローラ２７に転写紙を押し付ける加圧ローラ２８とを有しており、表面に未定着トナー像を担持して搬送されてきた転写紙を加熱・加圧して転写紙表面にトナー像を定着するようになっている。
【００２７】
排紙ローラ対２１は、トナー像定着後の転写紙を、完成品として排紙トレイ２２上に排出するものである。
【００２８】
以上説明したような構成の複写機において、画像形成に際し、まず感光体ドラム８は駆動手段によって矢印方向に回転駆動され、その表面が、帯電装置９によって所定の極性・電位に均一に帯電される。帯電後の感光体ドラム８表面は、リーダ部２が読み取った原稿の画像情報に応じて動作する露光装置１０からのレーザ光の照射により画像情報に応じた静電潜像が形成される。この静電潜像は、現像装置１１によってトナーが付着され、トナー像として現像される。こうして感光体ドラム８表面に形成されたトナー像は、レジストローラ対１８等により所定のタイミングで搬送されてきた転写紙に対し、転写装置１２に転写バイアスを印加することで、転写紙表面に転写される。トナー像転写後の感光体ドラム８は、表面に残った残留トナーがクリーニング装置１３によって除去され、次の画像形成に供される。一方、トナー像転写後の転写紙は、搬送ベルト１９で定着装置２０に搬送され、ここで加熱・加圧を受けて表面にトナー像が定着される。トナー像定着後の転写紙は、排紙ローラ対２１によって、排紙トレイ２２上に排出される。以上で、複写機本体による画像形成（プリント）が終了する。
【００２９】
次に、図２に基づいて、本発明の実施例に係るレジスト装置を説明する。レジスト装置２９に設けられたレジストローラ対１８の下部付近には、レジストローラ対１８の回転方向を規制する回転方向規制手段３０が設けられており、回転方向規制手段３０は、ソレノイド３１、ラチェットギヤ３２、ラチェット爪３３で構成されている。ソレノイド３１はレジストローラ対の下部付近に配置され、ラチェットギヤ３２は、前記ソレノイド３１の近傍でレジストローラ対の駆動ローラの軸端部付近に前記駆動ローラに対して固定されており、ラチェット爪３３は、前記ソレノイド３１の動作に伴いラチェットギヤ３２と噛み合うようにソレノイド３１に設けられている。また、クリーニング装置１３の下部付近には、転写領域内の転写紙の有無を検知するＰＩセンサ３４が設けられ、搬送ローラ対１７とレジストローラ対１８の間には、レジストスイッチ３５が設けられている。
【００３０】
今仮に転写領域にてＪＡＭが発生したと仮定する。転写領域でのＪＡＭとは、レジストスイッチ３５で検知された転写紙が、レジストローラ対２９によって所定のタイミングで転写領域に搬送され、クリーニング装置１３の下部付近に設けられたＰＩセンサ３４が検知した後、一定時間経過後も、レジストスイッチ３５とＰＩセンサ３４が、又はＰＩセンサ３４のみが転写紙を検知したままの状態をいう。この状態でのＪＡＭの場合、クリーニング装置１３の下部付近に設けられたＰＩセンサ３４が転写領域内で転写紙を検知し、レジストスイッチ３５による転写紙の有無検知に関係なく、ソレノイド３１が電磁力により吸引しラチェット爪３３がラチェットギヤ３２に噛み合うことにより、レジストローラ対は一方向（具体的にこの実施例では時計方向）にのみ回転可能状態になる。この動作によりＪＡＭした転写紙は搬送方向下流側のみに引き出し可能となる。このように本発明では、レジストローラ対や搬送ガイド板等にトナーが付着し、ＪＡＭ処理後に給紙された転写紙を汚すという問題が解消出来るという効果を有している。
【００３１】
次の実施例を説明する。この実施例でのＪＡＭとは、レジストスイッチ３５で検知された転写紙が、レジストローラ対２９によって所定のタイミングで転写領域に搬送されたが、クリーニング装置１３の下部付近に設けられたＰＩセンサ３４が、一定時間経過後も検知しない状態をいう。この時レジストスイッチ３５は転写紙を検知していても、検知していなくてもよい。この状態でのＪＡＭの場合、前記ＰＩセンサ３４が転写領域内で転写紙を検知せず、レジストスイッチ３５による転写紙の有無検知に関係なく、前記ソレノイド３１を可動させず前記ラチェット爪３３を前記ラチェットギヤ３２から離間させることにより、レジストローラ対１８は両方向に回転可能に動くようになる。このように本発明では、ＪＡＭした転写紙を搬送方向の上流側、下流側のどちらにも引き抜くことが出来るため、使用者がＪＡＭした転写紙を取り易い方向から処理することが可能であり、ＪＡＭ処理性能の向上が図られる。
【００３２】
【発明の効果】
以上のように、請求項１記載の発明によれば、ＪＡＭ発生時、転写紙にトナー像が転写されている場合には、搬送方向上流側へＪＡＭした転写紙を引き抜くことが出来ないように、レジスト装置のレジストローラ対の回転方向を規制する回転方向規制手段が可動する。これにより、レジストローラ対や搬送ガイド板等にトナーが付着し、ＪＡＭ処理後に給紙された転写紙を汚すという問題を防止することが可能である。
【００３３】
請求項２記載の発明によれば、ＪＡＭ発生時、前記転写紙にトナー像が転写されていない場合には、搬送方向の上流側、下流側のどちらにも引き抜くことが出来るように、レジスト装置のレジストローラ対の回転方向を規制する回転方向規制手段が可動する。これにより、使用者がＪＡＭした転写紙を取り易い方向から処理することが可能である。
【００３４】
請求項３記載の発明によれば、前記転写領域での前記転写紙を検知する手段を、前記クリーニング装置の下部付近に設けることにより、より正確な転写紙の位置を特定することが出来る。
【図面の簡単な説明】
【図１】本発明が適用される画像形成装置の一例である複写機の全体構成図である。
【図２】本発明が適用される回転方向規制手段を装備したレジスト装置の詳細図である。
【符号の説明】
１  複写機本体
８  像担持体
９  帯電装置
１１  現像装置
１２  転写装置
１３  クリーニング装置
１７  搬送ローラ対
１８  レジストローラ対
１９  搬送ベルト
２９  レジスト装置
３０  回転方向規制手段
３１  ソレノイド
３２  ラチェットギヤ
３３  ラチェット爪
３４  ＰＩセンサ
３５  レジストスイッチ
【図１】
2005001807.tif 000003
【図２】
2005001807.tif 000004